(57)【要約】【課題】入力操作の速度が低下する程度を低減する。【解決手段】電子機器は、機器本体の第１面に表示面が配置されている表示部と、表示面の第１検出領域内に第１面に対応する位置にして配置される複数の第１操作領域に対する操作をそれぞれ検出する第１検出部と、第１面の反対面となる第２面の第２検出領域内に第２面に対応する位置にして配置される複数の第２操作領域に対する操作をそれぞれ検出する第２検出部と、を備える。【選択図】図１
2014164642.tif 000002
【特許請求の範囲】
【請求項１】
機器本体の第１面に表示面が配置されている表示部と、
前記表示面の第１検出領域内に前記第１面に対応する位置にして配置される複数の第１操作領域に対する操作をそれぞれ検出する第１検出部と、
前記第１面の反対面となる第２面の第２検出領域内に前記第２面に対応する位置にして配置される複数の第２操作領域に対する操作をそれぞれ検出する第２検出部と、
を備えることを特徴とする電子機器。
【請求項２】
前記第１操作領域は、
前記第１面に対応する位置としての、前記機器本体を把持する操作者の指のうちの前記第１面を把持する指の位置に対応する位置に配置され、
前記第２操作領域は、
前記第２面に対応する位置としての、前記機器本体を把持する操作者の指のうちの前記第２面を把持する指の位置に対応する位置に配置される
ことを特徴とする請求項１に記載の電子機器。
【請求項３】
前記第２操作領域は、
前記表示面における前記第１操作領域の配置の密度よりも低密度にして配置される
ことを特徴とする請求項１または請求項２に記載の電子機器。
【請求項４】
前記第１操作領域を示す情報を、前記第２操作領域の面積を縮小した面積にして前記表示面に表示する表示制御部
を備えることを特徴とする請求項１または請求項２に記載の電子機器。
【請求項５】
前記第２操作領域は、
前記第１操作領域を示す情報が表示されている前記表示面の触感とは異なる触感の表面を有する
ことを特徴とする請求項１から請求項４のいずれか一項に記載の電子機器。
【請求項６】
前記第２面に配置される第２表示面に前記第２操作領域を示す情報を表示する第２表示部
を備えることを特徴とする請求項１から請求項５のいずれか一項に記載の電子機器。
【請求項７】
前記第２操作領域の配置を設定する設定部
を備えることを特徴とする請求項１から請求項６のいずれか一項に記載の電子機器。
【請求項８】
機器本体の第１面に表示面が配置されている表示部を有する電子機器が備えるコンピュータに、
前記表示面の第１検出領域内に前記第１面に対応する位置にして配置される複数の第１操作領域に対する操作をそれぞれ検出する第１検出手順と、
前記第１面の反対面となる第２面の第２検出領域内に前記第２面に対応する位置にして配置される複数の第２操作領域に対する操作をそれぞれ検出する第２検出手順と、
を実行させるためのプログラム。
【発明の詳細な説明】
【技術分野】
【０００１】
本発明は、電子機器、およびプログラムに関する。
【背景技術】
【０００２】
近年、例えば、装置本体の表示面の裏面側に操作を検出する検出部を備え、操作者が当該装置本体を把持した状態においても、操作入力を可能にした入力装置がある（例えば、特許文献１を参照）。
【先行技術文献】
【特許文献】
【０００３】
【特許文献１】特開２００３−３３０６１１号公報
【発明の概要】
【発明が解決しようとする課題】
【０００４】
しかしながら、上記のような入力装置は、表示面に表示される操作ボタンに対する操作入力を、単に裏面の検出部によって検出するようにしたものである。このような入力装置においては、装置本体の裏面に対する操作が表示面に対する操作に比して操作し難いことがあるため、表示面に対する操作の速度に比して裏面に対する操作の速度が低下することがある。つまり、上記のような入力装置には、入力操作の速度が低下するという問題があった。
【０００５】
本発明は、上記問題を解決すべくなされたもので、その目的は、入力操作の速度が低下する程度を低減することができる電子機器、およびプログラムを提供することにある。
【課題を解決するための手段】
【０００６】
本発明の一実施形態は、機器本体の第１面に表示面が配置されている表示部と、前記表示面の第１検出領域内に前記第１面に対応する位置にして配置される複数の第１操作領域に対する操作をそれぞれ検出する第１検出部と、前記第１面の反対面となる第２面の第２検出領域内に前記第２面に対応する位置にして配置される複数の第２操作領域に対する操作をそれぞれ検出する第２検出部と、を備えることを特徴とする電子機器である。
【０００７】
また、本発明の一実施形態は、機器本体の第１面に表示面が配置されている表示部を有する電子機器が備えるコンピュータに、前記表示面の第１検出領域内に前記第１面に対応する位置にして配置される複数の第１操作領域に対する操作をそれぞれ検出する第１検出手順と、前記第１面の反対面となる第２面の第２検出領域内に前記第２面に対応する位置にして配置される複数の第２操作領域に対する操作をそれぞれ検出する第２検出手順と、を実行させるためのプログラムである。
【発明の効果】
【０００８】
この発明によれば、入力操作の速度が低下する程度を低減することができる。
【図面の簡単な説明】
【０００９】
【図１】本発明の第１の実施形態に係る電子機器の構成の一例を示す構成図である。
【図２】本実施形態の電子機器の第１面の一例を示す構成図である。
【図３】本実施形態の電子機器の第２面の一例を示す構成図である。
【図４】本実施形態の電子機器の構成の一例を示す概略ブロック図である。
【図５】本実施形態の第１検出領域の構成の一例を示す構成図である。
【図６】本実施形態の第２検出領域の構成の一例を示す構成図である。
【図７】本実施形態の設定部が設定する第２操作領域の配置の一例を示す構成図である。
【図８】本実施形態の電子機器の動作の一例を示すフローチャートである。
【図９】本発明の第２の実施形態に係る電子機器の構成の一例を示す構成図である。
【図１０】本実施形態の第２検出領域の構成の一例を示す構成図である。
【図１１】本発明の第３の実施形態に係る電子機器の構成の一例を示す構成図である。
【図１２】本実施形態の第１操作領域に対応する第２操作領域の構成の一例を示す構成図である。
【発明を実施するための形態】
【００１０】
［第１の実施形態]
以下、図面を参照して、本発明の第１の実施形態を説明する。
図１は、本発明の第１の実施形態に係る電子機器１の構成の一例を示す構成図である。
【００１１】
電子機器１は、タブレット型の表示装置である。また、電子機器１は、互いに表裏の位置関係にある第１面１０１と第２面１０２とを備えている。また、電子機器１は、第１面１０１に第１表示面１１１を備えており、第２面１０２に第２表示面１１２を備えている。すなわち、電子機器１は、互いに表裏の位置関係に配置されている第１表示面１１１および第２表示面１１２を備えており、両面に情報または画像等を表示可能である。この第１面１０１の構成について、図２を参照して説明する。
【００１２】
図２は、本実施形態における電子機器１の第１面１０１の一例を示す構成図である。同図は、操作者によって第１面１０１が操作者に対面する面となるように電子機器１が把持されている状態を示している。この第１表示面１１１は、第１表示面１１１における接触状態を検出する操作入力用の表示面接触センサとして、第１表示面接触センサ３３（第１検出領域）を備えている。次に、図３を参照して、第２面１０２の構成について説明する。
【００１３】
図３は、本実施形態における電子機器１の第２面１０２の一例を示す構成図である。同図は、操作者によって第２面１０２が操作者に対面する面となるように電子機器１が把持されている状態を示している。第１表示面１１１と同様に、第２表示面１１２は、第２表示面１１２における接触状態を検出する操作入力用の表示面接触センサとして、第２表示面接触センサ３４（第２検出領域）を備えている。なお、上記表示面接触センサは、表示面上のみに限らず、第１面１０１および第２面１０２のそれぞれの面上における接触状態を検出する構成としてもよい。また、第１表示面接触センサ３３と第２表示面接触センサ３４とを区別しない場合には、表示面接触センサと総称して説明する。
【００１４】
なお、以下の記述において適宜、電子機器１の操作者に対面する面を表面、その反対側の面であり操作者に対面しない面を裏面とも称する。すなわち、図１において、電子機器１は、操作者に対面している第１表示部２１が備えられている第１面１０１が表面であって、その反対側の面である第２面１０２が裏面である状態で、操作者によって把持されている。また、操作者は、例えば、表面側を操作面として、第１表示面１１１に備えられている第１表示面接触センサ３３により操作入力を行う。また、操作者は、例えば、裏面側を操作面として、第２表示面１１２に備えられている第２表示面接触センサ３４により操作入力を行う。このとき、操作者は、表面側を親指によって、裏面側を親指以外の他の指によって操作入力を行う。
【００１５】
次に、図４を参照して、電子機器１の構成について説明する。
図４は、本実施形態における電子機器１の構成の一例を示す概略ブロック図である。この図において図１の各部に対応する部分には同一の符号を付している。
【００１６】
電子機器１は、表示部２０、操作検出部３０、制御部５０、記憶部５、およびバス８０を備えている。
【００１７】
表示部２０は、第１表示部２１と、第２表示部２２とを備えている。第１表示部２１は、液晶表示パネルであって、第１面１０１に配置されている第１表示面１１１に画像等の情報を表示する。同様に、第２表示部２２は、液晶表示パネルであって、第２面１０２に配置される第２表示面１１２に画像等の情報を表示する。具体的には、第２表示部２２は、第２表示面１１２に第２操作領域３６を示す情報を表示する。この第２操作領域３６については、後述する。
【００１８】
操作検出部３０は、第１操作検出部３１と、第２操作検出部３２とを備えている。第１操作検出部３１は、第１面１０１に配置されている第１表示面接触センサ３３によって、第１表示面１１１における接触状態を検出する。同様に、第２操作検出部３２は、第２面１０２に配置されている第２表示面接触センサ３４によって、第２表示面１１２における接触状態を検出する。また、これらの表示面接触センサは、タッチパネル方式の操作入力デバイスであって、例えば、静電容量方式の接触センサである。なお、表示面接触センサは、静電容量方式に代えて、電磁誘導方式でもよいし、赤外線方式でもよいし、表面弾性波方式でもよいし、抵抗膜方式でもよいし、マトリクス・スイッチ方式でもよい。また、表示面接触センサは、同時に複数個所の接触を検出することができる多点入力可能な、いわゆるマルチタッチパネル方式である。
【００１９】
記憶部５には、表示部２０に表示させる情報等が記憶されている。例えば、記憶部５には、表示部２０に表示させる情報として、画像、文字またはアイコン等による情報、メニュー画面等、のデータが記憶されている。この記憶部５に記憶されている情報は、制御部５０の制御によって読み出される。
【００２０】
バス８０は、表示部２０、操作検出部３０、制御部５０、および記憶部５と接続され、各部から出力された画像データ、検出信号、制御信号等を転送する。
【００２１】
制御部５０は、表示制御部５２、操作受付制御部５３、および設定部５４を備えている。
【００２２】
表示制御部５２は、表示部２０の表示処理を制御する。具体的には、表示制御部５２は、表示部２０が備えている各表示部に表示させる情報を選択して表示させる処理、各表示部の表示のオン（表示状態）とオフ（非表示状態）とを切り替える処理等を制御する。ここで、各表示部に表示させる情報とは、画像、文字またはアイコン等による情報、メニュー画面等、表示部に表示させる情報の何れであってもよい。また、表示制御部５２は、設定部５４が設定して記憶部５に記憶させた第２操作領域３６の配置に基づいて、第２表示部２２に第２操作領域３６を示す情報を表示する。設定部５４及び第２操作領域３６については後述する。
【００２３】
操作受付制御部５３は、操作検出部３０が検出する操作に対する受付処理を制御する。具体的には、操作受付制御部５３は、操作検出部３０が検出した操作を受け付けて、受け付けた操作に対応する処理を制御する。例えば、操作検出部３０が文字入力操作を検出した場合には、操作受付制御部５３は、操作検出部３０が検出した文字入力操作によって入力された文字コードを取得する。次に、操作受付制御部５３は、取得した文字コードに一致する情報（例えば、文字のフォント情報）を、バス８０を介して記憶部５から読み出す。次に操作受付制御部５３は、読み出した文字のフォント情報を表示制御部５２に供給する。表示制御部５２は、供給された情報を、第１表示部２１の所定の領域に表示する。
【００２４】
設定部５４は、第２操作領域３６の配置を設定する。この設定部５４が第２操作領域３６の配置を設定する構成については後述する。
【００２５】
次に、図５を参照して、第１表示面１１１の第１表示面接触センサ３３内に配置される第１操作領域３５−１〜３５−１５（以下の説明においては、区別する場合を除いて、第１操作領域３５と総称する。）について説明する。
【００２６】
図５は、本実施形態における第１操作領域３５の構成の一例を示す構成図である。同図は、表面視図である。第１操作領域３５は、第１表示面１１１の第１表示面接触センサ３３内に第１面１０１に対応する位置にして複数配置される。つまり、この第１操作領域３５とは、第１表示部２１が備える第１表示面接触センサ３３が接触状態を検出する対象の領域である。同図に示すように、第１操作領域３５は、第１面１０１に対応する位置としての、機器本体を把持する操作者の指のうちの第１面１０１を把持する指の位置に対応する位置に配置される。この第１面１０１に対応する位置とは、電子機器１を把持する操作者の親指の位置である。また、この第１操作領域３５とは、日本語をローマ字入力する際の子音及び母音等を表す画像に対応付けられている領域である。具体的には、第１操作領域３５−１とは、アルファベットのＫを表す画像に対応付けられている領域である。同様に、第１操作領域３５−２〜３５−９とは、それぞれ子音であるＳ、Ｔ、Ｎ、Ｈ、Ｍ、Ｙ、Ｒ、Ｗを表す画像に対応付けられている領域である。同様に、第１操作領域３５−１０〜３５−１５とは、それぞれ母音であるＡ、Ｉ、Ｕ、Ｅ、Ｏ、及び撥音であるＮを表す画像に対応付けられている領域である。
【００２７】
次に、図６を参照して、第２表示部２２に表示される第２操作領域３６−１〜３６−６（以下の説明においては、区別する場合を除いて、第２操作領域３６と総称する。）について説明する。
【００２８】
図６は、本実施形態における第２操作領域３６の構成の一例を示す構成図である。同図は、裏面視図である。第２操作領域３６は、第１面１０１の反対面となる第２面１０２の第２表示面接触センサ３４内に第２面１０２に対応する位置にして配置される。つまり、この第２操作領域３６とは、第２表示部２２が備える第２表示面接触センサ３４が接触状態を検出する対象の領域である。同図に示すように、第２操作領域３６は、第２面１０２に対応する位置としての、機器本体を把持する操作者の指のうちの第２面１０２を把持する指の位置に対応する位置に配置される。この第２面１０２に対応する位置とは、電子機器１を把持する操作者の指のうちの親指以外の指の位置である。また、この第２操作領域３６とは、文字データを入力する際の入力モードの切り換えを示す画像に対応付けられている領域である。具体的には、第２操作領域３６−１とは、アルファベットを入力する際の大文字および小文字の切り換え機能を表す画像に対応付けられている領域である。また、第２操作領域３６−２とは、２バイト文字入力と１バイト文字入力との切り換え機能を表す画像に対応付けられている領域である。同様に、第２操作領域３６−３とは、英数入力モードを示す画像に、第２操作領域３６−４はひらがな入力モードを表す画像に、第２操作領域３６−５はカタカナ入力モードを表す画像にそれぞれ対応付けられている領域である。また、第２操作領域３６−５とは、フロントエンドプロセッサを使用せずに直接入力する直接入力モードを表す画像に対応付けられている領域である。
【００２９】
また、第２操作領域３６は、第１操作領域３５を示す画像が表示されている表示面の触感とは異なる触感の表面を有する。具体的には、第１操作領域３５の表面は平坦なガラス面である。一方、第２操作領域３６は、表面に突起が設けられているガラス面である。なお、この突起は各第２操作領域３６の中央部に設けられていてもよい。また、この突起に代えて平坦なガラス面と摩擦係数が異なる面（例えば、すりガラス面）であってもよい。
【００３０】
次に、図７を参照して、設定部５４が、第２操作領域３６−１〜３６−６の配置を設定する構成について説明する。図７は、本実施形態における設定部５４が設定する第２操作領域３６の配置の一例を示す構成図である。同図は、裏面視図である。設定部５４は、図６に示した配置と異なる配置にして、第２操作領域３６の配置を設定する。具体的には、設定部５４は、図６に示す第２操作領域３６−１の位置に、第２操作領域３６−４を配置して、第２操作領域３６の配置を設定する。同様に、設定部５４は、図６に示す第２操作領域３６−１の位置に、第２操作領域３６−３を、図６に示す第２操作領域３６−３の位置に、第２操作領域３６−２をそれぞれ配置して、第２操作領域３６の配置を設定する。同様に、設定部５４は、図６に示す第２操作領域３６−４の位置に、第２操作領域３６−５を、図６に示す第２操作領域３６−５の位置に、第２操作領域３６−１をそれぞれ配置して、第２操作領域３６の配置を設定する。同様に、設定部５４は、図６に示す第２操作領域３６−６の位置に、第２操作領域３６−６を配置して、第２操作領域３６の配置を設定する。また、設定部５４は、設定した第２操作領域３６の配置を記憶部５に記憶させる。
【００３１】
より具体的には、設定部５４は、第１操作検出部３１が検出した第２操作領域３６の設定を変更する操作を、バス８０を介して取得する。次に、設定部５４は、予め記憶部５に記憶されている第２操作領域３６の複数の配置パターンのうちから、取得した第２操作領域３６の設定を変更する操作が示す第２操作領域３６の配置パターンを読み出す。次に、設定部５４は、読み出した第２操作領域３６の配置パターンに基づいて、第２操作領域３６の配置を設定する。このようにして、設定部５４は、第２操作領域３６の配置を設定する。
【００３２】
次に、図８を参照して、電子機器１の動作の一例について説明する。図８は、本実施形態の電子機器１の動作の一例を示すフローチャートである。
【００３３】
まず、操作検出部３０は、操作者による操作を検出する（ステップＳ１０）。ここで、第１操作検出部３１（第１検出部）は、操作者による第１操作領域３５に対する操作を検出する（第１検出手順）。また、第２操作検出部３２（第２検出部）は、操作者による第２操作領域３６に対する操作を検出する（第２検出手順）。
【００３４】
次に、操作受付制御部５３は、ステップＳ１０において検出された操作を判定する（ステップＳ２０）。ここで、操作受付制御部５３は、第２操作領域３６に対して、文字の入力モードを変更する操作がなされたと判定した場合（ステップＳ２０：ＹＥＳ）には、処理をステップＳ３０に進める。具体的には、操作受付制御部５３は、第２操作領域３６−１に対して、アルファベットを入力する際の大文字および小文字の切り換える操作がなされたと判定した場合には、処理をステップＳ３０に進める。一方、操作受付制御部５３は、操作者による第２操作領域３６に対して、文字の入力モードを変更する操作がなされていないと判定した場合（ステップＳ２０：ＮＯ）には、ステップＳ１０において検出された操作が文字入力であると判定して、処理をステップＳ４０に進める。
【００３５】
次に、ステップＳ２０において、文文字の入力モードを変更する操作がなされたと判定した場合、操作受付制御部５３は、第２操作領域３６に対する操作に基づいて、入力モードの変更を行う（ステップＳ３０）。具体的には、操作受付制御部５３は、第２操作領域３６−１に対する操作に基づいて、アルファベットを入力する際の大文字および小文字の切り換えを行う。次に、操作受付制御部５３は、処理をステップＳ１０に戻す。
【００３６】
一方、ステップＳ２０において、文字の入力モードを変更する操作がなされていないと判定した場合、操作受付制御部５３は、ステップＳ１０において検出された文字入力操作によって入力された文字コードを、バス８０を介して操作検出部３０から取得する。次に、操作受付制御部５３は、取得した文字コードに一致する文字のフォントを、バス８０を介して記憶部５から読み出す。次に、操作受付制御部５３は、読み出した文字のフォント、表示制御部５２に供給する。表示制御部５２は、供給された文字のフォントを表示部２０の所定の領域に表示する（ステップＳ４０）。
【００３７】
次に、操作受付制御部５３は、操作検出部３０が文字入力終了操作を検出したか否かを判定する。ここで、操作受付制御部５３は、操作検出部３０が文字入力終了操作を検出していないと判定した場合（ステップＳ５０：ＮＯ）には、処理をステップＳ１０に戻す。一方、操作受付制御部５３は、操作検出部３０が文字入力終了操作を検出したと判定した場合（ステップＳ５０：ＹＥＳ）には、処理を終了する。
【００３８】
以上説明したように、電子機器１は、第１表示部２１（表示部）と、第１操作検出部３１（第１検出部）と、第２操作検出部３２（第２検出部）とを備えている。この第１表示部２１は、機器本体の第１面１０１に第１表示面１１１が配置されている。また、第１操作検出部３１は、第１表示面１１１の第１表示面接触センサ３３（第１検出領域）内に第１面１０１に対応する位置にして配置される複数の第１操作領域３５に対する操作をそれぞれ検出する。また、第２操作検出部３２は、第１面１０１の反対面となる第２面１０２の第２表示面接触センサ３４（第２検出領域）内に第２面１０２に対応する位置にして配置される複数の第２操作領域３６に対する操作をそれぞれ検出する。これにより、電子機器１は、第１面１０１と第２面１０２との両面によって入力操作することができるため、操作者が機器本体を把持した状態においても、把持している複数の指によって入力操作をすることができる。すなわち、電子機器１は、第１面１０１を親指によって、第２面１０２を親指以外の指によって入力操作することができる。したがって、電子機器１は、第１面１０１に対する操作入力を、単に第２面１０２の第２操作領域３６によって検出するようにした場合に比して、入力操作の速度が低下する程度を低減することができる。
【００３９】
また、電子機器１の第１操作領域３５は、図５に示したように、第１面１０１に対応する位置としての、機器本体を把持する操作者の指のうちの第１面１０１を把持する指の位置に対応する位置に配置されている。また、電子機器１の第２操作領域３６は、図６に示したように、第２面１０２に対応する位置としての、機器本体を把持する操作者の指のうちの第２面１０２を把持する指の位置に対応する位置に配置されている。これにより、電子機器１は、第１面１０１及び第２面１０２を把持する指の位置を移動させることなく、第１操作領域３５と、第２操作領域３６とを操作することができる。したがって、電子機器１は、入力操作の速度が低下する程度をさらに低減することができる。
【００４０】
また、電子機器１の第２操作領域３６は、図５及び図６に示したように、第１表示面１１１における第１操作領域３５の配置の密度よりも低密度にして配置されている。これにより、電子機器１は、操作者によって操作される際に、第２面１０２が第１面１０１に比して操作し難い場合であっても、操作者が操作すべき第２操作領域３６と異なる位置の第２操作領域３６を操作してしまう誤操作の頻度を低減することができる。したがって、電子機器１は、第２面１０２に対する操作入力を、単に裏面の検出部によって検出するようにした場合に比して、入力操作の速度が低下する程度をさらに低減することができる。
【００４１】
また、電子機器１の第２操作領域３６は、第１操作領域３５を示す情報が表示されている第１表示面１１１の触感とは異なる触感の表面を有する。これにより、電子機器１は、操作者が第１面１０１と第２面１０２とを識別しやすくすることができる。したがって、電子機器１は、操作者が第１面１０１と第２面１０２とを誤認識する程度を低減することができる。つまり、電子機器１は、誤操作により入力操作の速度が低下する程度を低減することができる。
【００４２】
また、電子機器１は、第２面１０２に配置される第２表示面１１２に第２操作領域３６を示す情報を表示する第２表示部２２を備えている。これにより、電子機器１は、操作者が第１面１０１と第２面１０２とを識別しやすくすることができる。さらに、電子機器１は、第２面１０２の第２操作領域３６の位置を表示することができる。したがって、電子機器１は、操作者が第１面１０１と第２面１０２とを誤認識したり、第２面１０２の第２操作領域３６の位置を誤認識したりする程度を低減することができる。つまり、電子機器１は、誤操作により入力操作の速度が低下する程度を低減することができる。
【００４３】
また、電子機器１は、第２操作領域３６の配置を設定する設定部５４を備えている。これにより、電子機器１は、第２操作領域３６の配置を操作者が操作しやすい配置に設定することができるため、入力操作の速度が低下する程度を低減することができる。
【００４４】
［第２の実施形態]
以下、図面を参照して、本発明の第２の実施形態を説明する。なお、上述した第１の実施形態と同様の構成については、同一の符号を付して説明を省略する。
【００４５】
図９は、本発明の第２の実施形態に係る電子機器１ａの構成の一例を示す構成図である。同図は、表面視図である。電子機器１ａは、第１面１０１ａに第１表示面１１１ａを備えている。この第１表示面１１１ａには、第１操作領域３５ａ−１〜３５ａ−２０（以下の説明においては、区別する場合を除いて、第１操作領域３５ａと総称する。）が配置されている。この第１操作領域３５ａとは、第１表示部２１ａが備える第１表示面接触センサ３３ａが接触状態を検出する対象の領域である。また、この第１操作領域３５ａとは、計算機の演算指示及び数字を示す画像に対応付けられている領域である。具体的には、第１操作領域３５ａ−１〜３５ａ−４とは、それぞれ“＋”、“−”、“×”、“÷”の演算指示を示す画像に対応付けられている領域である。同様に、第１操作領域３５ａ−５〜３５ａ−８とは、それぞれ百分率を示す“％”、逆数を示す“１／Ｘ”、平方根を示す“√”、小数点を示す“．”の演算指示を示す画像に対応付けられている領域である。また、同様に、第１操作領域３５ａ−９〜３５ａ−２０とは、それぞれ０〜９の数字を示す画像、前回の演算による演算結果を示す“Ａ”を示す画像に、および演算実行指示を示す“＝”を示す画像に対応付けられている領域である。
【００４６】
次に、図１０を参照して、第２面１０２ａの第２表示面接触センサ３４ａ内に配置される第２操作領域３６ａ−１〜３６ａ−６（以下の説明においては、区別する場合を除いて、第２操作領域３６ａと総称する。）について説明する。
【００４７】
図１０は、本実施形態における第２操作領域３６ａの構成の一例を示す構成図である。同図は、裏面視図である。この第２操作領域３６ａとは、第２表示面１１２ａが備える第２表示面接触センサ３４ａが接触状態を検出する対象の領域である。また、この第２操作領域３６ａとは、計算機に演算指示及び数字入力する際に補助的に用いられる機能を表す画像に対応付けられている領域である。具体的には、第２操作領域３６ａ−１及び第２操作領域３６ａ−４とは、演算の優先順位を示す“（”及び“）”を表す画像に対応付けられている領域である。同様に、第２操作領域３６ａ−２及び第２操作領域３６ａ−５とは、演算経過を記憶する機能を示す“Ｍ１”及び“Ｍ２”を表す画像に対応付けられている領域である。同様に、第２操作領域３６ａ−３及び第２操作領域３６ａ−６とは、計算結果を消去する機能を示す“ＡＣ”及び“Ｃ”を表す画像に対応付けられている領域である。
【００４８】
以上説明したように、電子機器１ａは、“＋”、“−”、“×”、“÷”の演算指示や、０〜９の数字など、使用頻度が比較的高い機能を第１操作領域３５ａに配置し、演算経過を記憶する機能など、使用頻度が比較的低い機能を第２操作領域３６ａに配置している。このように、電子機器１ａは、第１面１０１ａと第２面１０２ａとに操作領域を分散させて配置することにより、第１面１０１ａの操作領域の密度を低減している。また、電子機器１ａは、第１面１０１ａに比して操作の難度が高い第２面１０２ａに、使用頻度が比較的低い機能を配置している。これにより、電子機器１ａは、操作者による誤操作の頻度を低減することができる。
【００４９】
［第３の実施形態]
以下、図面を参照して、本発明の第３の実施形態を説明する。なお、上述した各実施形態と同様の構成については、同一の符号を付して説明を省略する。
【００５０】
図１１は、本発明の第３の実施形態に係る電子機器１ｂの構成の一例を示す構成図である。同図は、表面視図である。第１操作領域３５ｂは、第１操作領域３５と同様にして、第１表示面１１１ｂの第１表示面接触センサ３３ｂ内に第１面１０１ｂに対応する位置にして複数配置される。具体的には、第１操作領域３５ｂ−１は、アルファベットのＫを表す画像に対応付けられている領域である。同様に、第１操作領域３５ｂ−２〜３５ｂ−９とは、それぞれ子音であるＳ、Ｔ、Ｎ、Ｈ、Ｍ、Ｙ、Ｒ、Ｗを表す画像に対応付けられている領域である。同様に、第１操作領域３５ｂ−１０〜３５ｂ−１５とは、それぞれ母音であるＡ、Ｉ、Ｕ、Ｅ、Ｏ、及び撥音であるＮを表す画像に対応付けられている領域である。
【００５１】
図１２は、本実施形態の第１操作領域３５ｂに対応する第２操作領域３６ｂの構成の一例を示す構成図である。同図は、裏面視図である。第２操作領域３６ｂは、第２操作領域３６と同様にして、第１面１０１ｂの反対面となる第２面１０２ｂの第２表示面接触センサ３４ｂ内に第２面１０２ｂに対応する位置にして複数配置される。具体的には、第２操作領域３６ｂ−１〜３６ｂ−１５は、第１操作領域３５ｂ−１〜３５ｂ−１５と一致するように、Ｋ、Ｓ、Ｔ、Ｎ、Ｈ、Ｍ、Ｙ、Ｒ、Ｗ、Ａ、Ｉ、Ｕ、Ｅ、Ｏ、およびＮを表す画像にそれぞれ対応付けられている。つまり、第１操作領域３５ｂは、第２操作領域３６ｂの面積を縮小した面積にして第１表示面１１１ｂ（表示面）に表示されている。
【００５２】
以上説明したように、電子機器１ｂの表示制御部５２は、第１操作領域３５ｂを示す情報を、第２操作領域３６ｂの面積を縮小した面積にして第１表示面１１１ｂ（表示面）に表示する。これにより、電子機器１ｂは、第１表示面１１１ｂ内の文字表示領域３７の面積を相対的に大きくして、入力される文字の情報を表示することができる。この電子機器１ｂは、第１操作領域３５ｂの面積が相対的に小さいことにより、操作者が操作し難い場合には、第２操作領域３６ｂによっても入力操作を行うことができる。また、電子機器１ｂは、第２操作領域３６ｂの面積を、第１操作領域３５ｂの面積に比して大きくしているため、第２面１０２ｂに対する操作のし難さを低減することができる。したがって、電子機器１ｂは、入力操作の速度が低下する程度を低減することができる。
【００５３】
なお、上述した各実施形態において、電子機器１（電子機器１ａ、１ｂを含む。以下の説明において同じ。）が、互いに表裏の位置関係に表示面が配置されている第１表示部２１（第１表示部２１ａ、２１ｂを含む。以下の説明において同じ。）および第２表示部２２（第２表示部２２ａ、２２ｂを含む。以下の説明において同じ。）を備えている例について説明したが、これに限られるものではない。つまり、表示部２０は、第１表示部２１および第２表示部２２の２つの表示部を備えている構成に限られるものではなく、１つの表示部、または３つ以上の複数の表示部を備えている構成であってもよい。
【００５４】
例えば、電子機器１は、互いに表裏の位置関係に配置されている第１面１０１（第１面１０１ａ、１０１ｂを含む。以下の説明において同じ。）と第２面１０２（第２面１０２ａ、１０２ｂを含む。以下の説明において同じ。）とのうち、片方の面にのみ表示部が配置されていてもよい。この構成による電子機器１は、例えば、第１面１０１のみに表示部を備えており、第２面１０２には表示部がなくてもよい。この場合、第２面１０２は、操作を検出する操作検出部３０を備えている。この構成によっても、電子機器１は、操作者が第１面１０１及び第２面１０２の両面を複数の指によって操作することができる。つまり、電子機器１は、入力操作の速度が低下する程度を低減することができる。
【００５５】
また、上述した各実施形態において、電子機器を１人の操作者が操作する場合を例として説明したが、これに限られるものではない。例えば、電子機器は、複数の操作者の操作を検出することによって動作してもよい。また、この場合に、電子機器は、電子機器を挟んで対面する複数の操作者の操作を検出することによって動作してもよい。これにより、電子機器は、操作者から見て反対面の検出部の位置を、複数の操作者に対してもわかりやすくすることができる。
【００５６】
また、上述した各実施形態において、電子機器は、ローマ字入力または計算入力の場合例として説明したが、これに限られるものではない。例えば、電子機器は、文字入力において、文字体系における一定則に基づいて配置される第１操作領域３５（第１操作領域３５ａ、３５ｂを含む。）と、第２操作領域３６（第２操作領域３６ａ、３６ｂを含む。）とを備えていてもよい。ここで、文字体系における一定則には、例えば、漢字における”へん”や”つくり”、ひらがなにおける濁点や半濁点、および韓国語やタイ語などにおける、漢字の”へん”や”つくり”に対応する字母要素が含まれる。
【００５７】
また、電子機器１は、互いに異なる３面以上の複数の面により構成され、複数の面それぞれに撮像部１０、表示部２０または操作検出部３０を備えている構成としてもよい。この構成による電子機器１は、例えば、複数の面それぞれに備えられている操作検出部３０に対する操作者の操作を検出して、電子機器１を制御してもよい。
【００５８】
なお、上記実施形態において、電子機器１が、第１表示部２１の表示面上における接触状態を検出する第１表示面接触センサ３３（第１表示面接触センサ３３ａ、３３ｂを含む。）と、第２表示部２２の表示面上における接触状態を検出する第２表示面接触センサ３４（第２表示面接触センサ３４ａ、３４ｂを含む。）とを備えている例について説明したが、表示面上における接触状態を検出する構成に代えて、それぞれ第１面１０１（第１筐体面）と、第２面１０２（第２筐体面）とにおける接触状態をそれぞれ検出する構成としてもよい。ここでいう第１面１０１（第１筐体面）および第２面１０２（第２筐体面）とは、それぞれの面の領域のうち、表示面の領域以外の領域であってもよいし、または、それぞれの面の領域のうち、表示面の領域と表示面の領域以外の領域との両方を含む領域であってもよい。
【００５９】
なお、第１表示部２１および第２表示部２２は、液晶表示パネル有するものに限られものではなく、例えば、有機ＥＬ（Electro-Luminescence）パネル、電子ペーパー方式の表示パネル、２つの透過型表示部とその間に配置されている液晶パネル（透過と非透過とを切替え可能な液晶パネル）とにより構成される表示パネル、等、その他の表示パネルを有するものであってもよい。また、この表示部２０は、形状が可変であるフレキシブル表示パネルを有していてもよい。また、表示部２０は、平面フレキシブル表示パネル、円筒型フレキシブル表示パネル、または、円錐型フレキシブル表示パネルを有していてもよい。
【００６０】
また、上記実施形態の電子機器１を備えている電子機器に本発明を適することができる。ここで、電子機器とは、携帯情報端末、タブレット型コンピュータ、携帯電話、電子辞書、電子書籍リーダ等、表示装置を備えている電子機器全般をいう。
【００６１】
なお、上記の実施形態における制御部５０又はこの制御部５０が備える各部は、専用のハードウェアにより実現されるものであってもよく、また、メモリおよびマイクロプロセッサにより実現させるものであってもよい。
【００６２】
なお、この制御部５０が備える各部は、メモリおよびＣＰＵ（中央演算装置）により構成され、制御部５０が備える各部の機能を実現するためのプログラムをメモリにロードして実行することによりその機能を実現させるものであってもよい。
【００６３】
また、制御部５０が備える各部の機能を実現するためのプログラムをコンピュータ読み取り可能な記録媒体に記録して、この記録媒体に記録されたプログラムをコンピュータシステムに読み込ませ、実行することにより、制御部５０が備える各部による処理を行ってもよい。なお、ここでいう「コンピュータシステム」とは、ＯＳや周辺機器等のハードウェアを含むものとする。
【００６４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００６５】
以上、本発明の実施形態を図面を参照して詳述してきたが、具体的な構成はこの実施形態に限られるものではなく、本発明の趣旨を逸脱しない範囲で適宜変更を加えることができる。
【符号の説明】
【００６６】
１、１ａ、１ｂ…電子機器、５…記憶部、２１…第１表示部（表示部）、２２…第２表示部、３１…第１操作検出部（第１検出部）、３２…第２操作検出部（第２検出部）、３３…第１表示面接触センサ（第１検出領域）、３４…第２表示面接触センサ（第２検出領域）、３５、３５ａ、３５ｂ…第１操作領域、３６、３６ａ、３６ｂ…第２操作領域、５２…表示制御部、５４…設定部、１０１…第１面、１０２…第２面、１１１…第１表示面（表示面）、１１２…第２表示面
【図１】
2014164642.tif 000003
【図２】
2014164642.tif 000004
【図３】
2014164642.tif 000005
【図４】
2014164642.tif 000006
【図５】
2014164642.tif 000007
【図６】
2014164642.tif 000008
【図７】
2014164642.tif 000009
【図８】
2014164642.tif 000010
【図９】
2014164642.tif 000011
【図１０】
2014164642.tif 000012
【図１１】
2014164642.tif 000013
【図１２】
2014164642.tif 000014